(57)【要約】【課題】クライアントPC上の表示言語を、ユーザの存在する地域に応じて自動で設定するネットワーク型監視画像配信装置及び当該装置の表示言語設定方法を提供する。【解決手段】監視映像を取得し、ネットワークに接続されたクライアント端末に、監視映像を含む監視に係る監視情報のWebページを配信するネットワーク型監視画像配信装置であって、ネットワーク型監視画像配信装置の起動時に、ネットワーク型監視画像配信装置の電源電圧が、１００Vか否かを判別する電源電圧判別部２５０と、ネットワーク型監視画像配信装置に入力されている映像信号が、NTSC信号か否かを判別する映像信号判別部２４０と、電源電圧判別部２５０及び映像信号判別部２４０の判別結果に基づいて、クライアント端末に表示するWebページの表示言語を設定する言語設定部２３０とを有する。【選択図】図２
2008236643.tif 000002
【特許請求の範囲】
【請求項１】
監視映像を取得し、ネットワークに接続されたクライアント端末に、前記監視映像を含む監視に係る監視情報のWebページを配信するネットワーク型監視画像配信装置であって、
前記ネットワーク型監視画像配信装置の起動時に、前記ネットワーク型監視画像配信装置の電源電圧が、１００Vか否かを判別する電源電圧判別手段と、
前記ネットワーク型監視画像配信装置に入力されている映像信号が、NTSC信号か否かを判別する映像信号判別手段と、
前記電源電圧判別手段及び前記映像信号判別手段の判別結果に基づいて、前記クライアント端末に表示する前記Webページの表示言語を設定する言語設定手段とを有することを特徴とするネットワーク型監視画像配信装置。
【発明の詳細な説明】
【技術分野】
【０００１】
本発明は、監視装置及び端末装置がネットワークで接続されたネットワーク型監視画像配信装置に関する。
【背景技術】
【０００２】
遠隔地、多地点での侵入物体の監視、定点観測等のカメラから取得した画像データ、音声データ等の監視データを、配信及び保存する監視装置と、監視データを受信、表示及び保存する端末装置とがネットワークを通じて接続されたネットワーク対応監視システムが知られている。
【０００３】
このネットワーク対応監視システムは、ネットワーク型監視画像配信装置（以下、WEBエンコーダ）から監視情報を取得し、取得した監視情報をネットワークを通じて遠隔地にあるクライアント端末コンピュータ（以下、クライアントPC）に配信するという技術である。
【０００４】
このWEBエンコーダは、クライアントPCのユーザが閲覧する監視映像用情報（映像表示用Webページ）及び監視装置設定用情報（設定用Webページ）をグラフィカルユーザインタフェース（以下、GUI）によりWebページとして提供している。
【０００５】
これらのWebページデータは、WEBエンコーダに搭載されている記憶装置であるメモリに格納されており、ユーザは、PC等のWebブラウザを通して、WEBエンコーダにWebページを要求し、WEBエンコーダはこの要求に応じたWebページをクライアントPCに送信する。クライアントPCには、送信されたWebページが、WEBエンコーダに設定されているデフォルト言語（日本語）で表示される。
【０００６】
尚、特許文献１では、画像処理技術において、このようなデフォルトだけでなく、多種多様な顧客に対して、顧客の所望とする仕上がりになるように画像処理を施す技術が開示されている。
【０００７】
【特許文献１】特開２００３−２５９２８８
【発明の開示】
【発明が解決しようとする課題】
【０００８】
しかしながら、クライアントPC上では、WEBエンコーダに設定されているデフォルト言語（日本語）が表示されることにより、使用言語が日本語以外の地域のユーザは、PC上の表示に文字化け等の不具合が発生するため、日本語環境のインストールの必要性が生じてしまう。また、日本語以外の表示言語に切り替えるために、設定用Webページを手動で設定することは、ユーザにPC操作上の負担を生じさせてしまうという問題も生じる。
【０００９】
本発明は上記の点に鑑みなされたもので、クライアントPC上の表示言語を、ユーザの存在する地域に応じて自動で設定するネットワーク型監視画像配信装置を提供することを目的とする。
【課題を解決するための手段】
【００１０】
上記目的を達成するために、本発明は、監視映像を取得し、ネットワークに接続されたクライアント端末に、前記監視映像を含む監視に係る監視情報のWebページを配信するネットワーク型監視画像配信装置であって、前記ネットワーク型監視画像配信装置の起動時に、前記ネットワーク型監視画像配信装置の電源電圧が、１００Vか否かを判別する電源電圧判別手段と、前記ネットワーク型監視画像配信装置に入力されている映像信号が、NTSC信号か否かを判別する映像信号判別手段と、前記電源電圧判別手段及び前記映像信号判別手段の判別結果に基づいて、前記クライアント端末に表示する前記Webページの表示言語を設定する言語設定手段とを有するように構成することができる。
【発明の効果】
【００１１】
本発明によれば、クライアントPC上の表示言語を、ユーザの存在する地域に応じて自動で設定することにより、クライアントPC上に日本語環境のインストールが不要となる等のユーザのPC操作上の負担を軽減するネットワーク型監視画像配信装置を提供することができる。
【発明を実施するための最良の形態】
【００１２】
次に、本発明を実施するための最良の形態を、以下の実施例に基づき図面を参照しつつ説明していく。
[実施例１]
図３は、本発明の第一実施例であるネットワーク型監視画像配信システム３００の構成図である。図３のネットワーク型監視画像配信システム３００は、WEBエンコーダ３０１、カメラ３０２、WEBカメラ３０３、ネットワーク３０５及びクライアントPC３０６から構成されている。WEBエンコーダ３０１は、監視画像、音声等の監視データをデジタル化し、デジタル化したデータをWebページとしてネットワーク３０５を通じて配信する。
【００１３】
図２は、このWEBエンコーダ３０１の構成例の図である。WEBエンコーダ３０１は、CPU２００、バス２０１、画像圧縮部２０２、音声圧縮/伸張部２０３、メモリ２０４、カメラ制御部２０５、ネットワーク制御部２０６、記録装置２０７、入出力装置２０８、アラーム制御部２０９、言語設定部２３０、映像信号判別部２４０、電源電圧判別部２５０及び電源２６０から構成されている。
【００１４】
バス２０１は、データ送受信の伝送路である。CPU２００は、バス２０１を介して接続されている各装置を制御し、WEBエンコーダの機能を実現する。画像圧縮部２０２は、カメラで撮影した画像データの圧縮処理をする。圧縮方式は、JPEG、MPEG等である。音声圧縮/伸張部２０３は、マイクからの入力データを圧縮し、また、ネットワークから受信した音声データを伸張する。この音声データも映像データと同様、圧縮及び伸張の方式は問わない。また、音声圧縮/伸張部２０３は、ネットワーク上でのWEBエンコーダとクライアント機器との間の双方向の会話を可能とする。メモリ２０４は、ネットワーク型監視装置の設定用Webページ、監視映像表示用Webページ、監視映像表示プログラム等を実行可能な状態で格納する。格納されたデータは、逐次、CPU２００により、読み出され実行される。カメラ制御部２０５は、WEBエンコーダ３０１に接続されたカメラや自機のカメラ（カメラ一体型WEBエンコーダの場合）を制御する。ネットワーク制御部２０６は、ネットワークのプロトコルを認識して、インターネット、LAN等のネットワークでのデータを送受信する。記録装置２０７は、画像データ、音声データ及び監視装置で扱う各種情報を記録し、また、CPU２００の要求により、格納された画像及び音声データを選択的に読み出す。記憶装置としては、ハードディスク、DVD、メモリ等のランダムアクセスが可能な記憶媒体である。入出力装置２０８は、シリアル、接点端子等の入出力装置であり、カメラ制御、センサ情報等の入力に用いる。アラーム制御部２０９は、センサ情報の入力がある場合、アラームを送信し、また、アラーム受信及びアラーム情報更新を行う。
【００１５】
電源２６０は、WEBエンコーダ３０１を駆動するための電源である。電源の電圧は、日本で１００V、その他の地域では１１０〜２４０Vである。
【００１６】
映像信号判別部２４０は、WEBエンコーダ３０１に入力されている映像信号が、NTSC信号もしくはその他の信号（PAL（Phase  Alternation  ｂｙ  Line）/SECAM（SEquential  Couleur  A  Memoire）/映像入力無し）であるかを判別する。
【００１７】
電源電圧判別部２５０は、WEBエンコーダ３０１の電源２６０の電源電圧が１００Vか否かを判別する。
【００１８】
言語設定部２３０は、映像信号判別部２４０及び電源電圧判別部２５０の判別結果に基づいて、表示言語を決定し、決定した表示言語をメモリ２０４に格納されているネットワーク型監視装置の設定用Webページに通知する。
【００１９】
カメラ３０２は、監視画像を撮影する撮影装置である。WEBカメラ３０３は、WEBエンコーダとカメラとが一体化した撮影装置である。ネットワーク３０５には、WEBエンコーダ３０１、WEBカメラ３０３及びクライアントPC３０６が接続されており、これら機器間でのデータの送受信が行われる。クライアントPC３０６は、クライント側のPCであり、Webブラウザ上のWebページをディスプレイ、モニタ等に表示する。
【００２０】
次に、クライアントPC３０６に表示するWebページの表示言語を設定する動作を説明する。
【００２１】
図１は、表示言語設定の動作を説明する図を示しており、表示言語設定を日本語に設定する場合と英語に設定する場合とに分けて説明する。
【００２２】
まず、表示言語設定を日本語に設定する場合を説明する。WEBデコーダ３０１の電源が投入されると、CPU２００は地域判定を開始し、まず、ステップS１００で、映像信号判別部２４０は、入力映像信号がNTSC信号かその他の映像信号（PAL信号、SECAM信号/映像入力無し）かを判別する。ここでは、日本語に設定する場合なので、次に、ステップS１１０に進み、電源電圧判定部２５０は、電源電圧を測定して電源電圧が１００Vであるか否かを判定する。電源電圧が１００Vの場合、ステップS１２０に進み、言語設定部２３０は、表示言語設定を日本語に設定する。
【００２３】
次に、表示言語設定を英語に設定する場合を説明する。監視装置の電源が投入されると、CPU２００は地域判定を開始し、まず、ステップS１００で、映像信号判別部２４０は、入力映像信号がNTSC信号かその他の映像信号（PAL、SECAM、映像入力無し）かを判別する。ここでは、英語に設定する場合なので、次に、ステップS１３０に進み、映像信号判別部２４０は、入力映像信号があるか否かを判定する。入力映像信号がある場合、次に、ステップS１４０に進み、言語設定部２３０は、表示言語設定を英語に設定する。
【００２４】
また、ステップS１１０において、電源電圧が１００Vでない場合も、次に、ステップS１４０に進み、表示言語設定を英語に設定する。
【００２５】
尚、ステップS１３０において、入力映像信号がない場合、表示言語設定は変更しない。
【００２６】
以上、本実施例により、ユーザの存在する地域に応じて、クライアントPC上の表示言語を、日本語又は英語に自動で設定することが可能となり、ユーザのPC操作上の負担を軽減できる。
【００２７】
尚、本発明は、具体的に開示された実施例に限定されるものではなく、特許請求の範囲から逸脱することなく、種々の変形や変更が可能である。
【図面の簡単な説明】
【００２８】
【図１】表示言語設定の動作を説明する図である。
【図２】WEBエンコーダ３０１の構成例の図である。
【図３】本発明の第一実施例によるネットワーク型監視画像配信システム３００の構成図である。
【符号の説明】
【００２９】
２００：CPU、  ２０１：バス、  ２０２：画像圧縮部、  ２０３：音声圧縮/伸張部、  ２０４：メモリ、  ２０５：カメラ制御部、  ２０６：ネットワーク制御部、  ２０７：記録装置、  ２０８：入出力装置、  ２０９：アラーム制御部、  ２３０：言語設定部  ２４０：映像信号判別部、  ２５０：電源電圧判別部、  ２６０：電源
３００：ネットワーク型監視画像配信システム３００、  ３０１：WEBエンコーダ、  ３０２：カメラ、  ３０３：WEBカメラ、  ３０５：ネットワーク、  ３０６：クライアントPC
【図１】
2008236643.tif 000003
【図２】
2008236643.tif 000004
【図３】
2008236643.tif 000005